(57)【要約】【課題】ヒュージング処理によって接合される導線の十分な接合強度を確保できると共に、各導線の抵抗ばらつきを抑制して導電性能を向上させる。【解決手段】絶縁被覆を有する導線Ｌを複数本束ねてなる導線束２と、導線束２に装着する端子具１０とを備え、収容部１２に導線束２を収容した端子具１０を電極部材５，５によってかしめて通電することで、導線Ｌの絶縁被覆を炭化させて除去すると共に導線Ｌ間を密着させるヒュージング処理によって形成される端子であって、端子具１０は、導線束２を収容するための中空の収容部１２を有する本体部１１と、収容部１２内で複数の導線Ｌを仕切るようにそれらの隙間に設置される板状のリブ１５とを備える。リブ１５は、収容部１２内で複数の導線Ｌの断面の隙間に配置された渦巻型の断面形状を有する。【選択図】図１
2011060523.tif 000002
【特許請求の範囲】
【請求項１】
絶縁被覆を有する導線を複数本束ねてなる導線束と、
前記導線束を収容するための中空の収容部を有する端子具と、
を備え、
前記収容部に前記導線束を収容した前記端子具を電極部材でかしめて通電することで、前記導線の絶縁被覆を炭化させて除去すると共に前記導線間を密着させるヒュージング処理によって形成される端子であって、
前記端子具は、前記収容部を有する筒状の本体部と、前記収容部内で前記複数の導線を仕切るようにそれらの隙間に設置される板状のリブとを備え、
前記リブは、前記複数の導線の断面の隙間に配置された渦巻型の断面形状を有する
ことを特徴とする端子。
【請求項２】
前記リブの断面形状は、前記電極部材によって前記端子具がかしめられる方向に突出する突出部を有する
ことを特徴とする請求項１に記載の端子。
【請求項３】
絶縁被覆を有する導線を複数本束ねてなる導線束と、
前記導線束を収容するための中空の収容部を有する端子具と、
を備え、
前記収容部に前記導線束を収容した前記端子具を電極部材でかしめて通電することで、前記導線の絶縁被覆を炭化させて除去すると共に前記導線間を密着させるヒュージング処理によって形成される端子であって、
前記端子具は、前記収容部を有する筒状の本体部と、前記収容部内で前記複数の導線を仕切るようにそれらの隙間に設置される板状のリブとを備え、
前記リブは、前記収容部の内壁から前記導線束の内部に差し込まれる複数の平板部を有しており、
前記複数の平板部は、前記収容部における前記端子具がかしめられる方向に対する両側の内壁から前記導線束の内部に向かって互い違いに突出している
ことを特徴とする端子。
【請求項４】
前記リブにおける前記収容部に挿入される前記導線束の先端に対向する端部は、前記収容部内の奥側に窪んで配置されている
ことを特徴とする請求項１乃至３のいずれかに記載の端子。
【請求項５】
前記リブにおける前記収容部に挿入される前記導線束の先端に対向する端部は、面取りされた面取部になっている
ことを特徴とする請求項１乃至３のいずれかに記載の端子。
【請求項６】
前記リブは、前記端子具の前記本体部とは別の部材として設けられている
ことを特徴とする請求項１乃至５のいずれかに記載の端子。
【請求項７】
請求項６に記載の端子の製造方法であって、
前記導線束に前記リブを装着する第１工程と、
前記導線束の前記リブを装着した部分を前記端子具の前記収容部に収容する第２工程と、
前記導線束を収容した前記端子具を電極部材でかしめて通電することで、前記導線の絶縁被覆を炭化させて除去すると共に前記導線間を密着させるヒュージング処理を行う第３工程と、をこの順番で行う
ことを特徴とする端子の製造方法。
【請求項８】
絶縁被覆を有する複数の導線を束ねてなるコイルと、
前記コイルに装着した端子具をヒュージング処理により電気的導通を確保した状態で接続してなる端子と、を備える電動機であって、
前記端子は、請求項１乃至６のいずれかに記載の端子であることを特徴とする電動機。
【発明の詳細な説明】
【技術分野】
【０００１】
本発明は、絶縁被覆を有する導線束に装着した端子具を電極部材でかしめて通電することで、絶縁被覆を炭化させて端子具と導線とを導電接合してなる端子及びその製造方法、及び該端子を備えた電動機に関する。
【背景技術】
【０００２】
従来、例えば特許文献１に示すように、絶縁被覆を有する導線に端子具を導電接合してなる端子の製造において、ヒュージング（抵抗溶接）処理が行われている。このヒュージング処理では、絶縁被覆を有する導線に装着した金属製の端子具を一対の電極部材でかしめ、その状態で、両電極部材に電流を流すことで、端子具の発熱によって絶縁被覆を炭化（溶融）させ、これにより端子具と導線とを導通状態で接合してなる端子（ターミナル）を形成する。
【０００３】
ところで、従来の端子具は、導線束の外周を囲む筒型などの中空状に形成されていた。したがって、発熱した端子具の内壁から導線束の外周側面に熱が伝わり、導線の被覆が溶融するようになっている。ところが、導線束を構成する導線の本数が多い場合や、導線束の径が太い場合には、導線束の外周側面から断面の内側まで十分に熱が伝わらず、導線束の内側の絶縁被覆を十分に溶融できないおそれがあった。これにより、端子具と各導線との接合にムラが生じることがあり、端子の十分な導通や固定強度を確保できないという問題があった。
【０００４】
また、中空状の端子具を電極部材で挟持してかしめる方法では、かしめ後の端子具内の導線が均一に配列されず、導線間に隙間ができるおそれがあった。このような隙間ができると、導線束の内部に温度のばらつきが生じ、絶縁被覆を均一に溶融できなかったり、絶縁被覆が炭化して生成する炭化生成物（スラッジ）が導線の隙間に溜まったりすることがある。これにより、導線の十分な接合強度を確保できないという問題があった。また、各導線の抵抗のばらつきが大きくなるという問題があった。
【先行技術文献】
【特許文献】
【０００５】
【特許文献１】特開２００３−１５３５０５号公報
【発明の概要】
【発明が解決しようとする課題】
【０００６】
本発明は上述の点に鑑みてなされたものであり、その目的は、ヒュージング処理によって接合される導線の十分な接合強度を確保できると共に、各導線の抵抗ばらつきを抑制して導電性能を向上させることができる端子及びその製造方法、及び該端子を備えた電動機を提供することにある。
【課題を解決するための手段】
【０００７】
上記課題を解決するための本発明は、絶縁被覆を有する導線（Ｌ）を複数本束ねてなる導線束（２）と、導線束（２）を収容するための収容部（１２）を有する端子具（１０）と、を備え、収容部（１２）に導線束（２）を収容した端子具（１０）を電極部材（５，５）でかしめて通電することで、導線（Ｌ）の絶縁被覆を炭化させて除去すると共に導線（Ｌ）間を密着させるヒュージング処理によって形成される端子であって、端子具（１０）は、収容部（１２）を有する筒状の本体部（１１）と、収容部（１２）内で複数の導線（Ｌ）を仕切るようにそれらの隙間に設置される板状のリブ（１５）とを備え、当該リブ（１５）は、複数の導線（Ｌ）の断面の隙間に配置された渦巻型の断面形状を有することを特徴とする。
【０００８】
本発明にかかる端子によれば、導線束を収容するための収容部内で複数の導線の断面を仕切るようにそれらの隙間に設置される板状のリブを備えたことで、ヒュージング処理の際、収容部の内壁を介して導線束の外周側面に熱が与えられるだけでなく、リブを介して導線束の内部にも熱が与えられるようになるので、端子具内の導線束の全体に均等に熱を与えることができる。したがって、端子具内の導線の絶縁被覆をより効果的に炭化できるようになる。また、導線束の外周と内部とに同時に熱を与えることができるので、導線束の各部の加熱に時間差が生じることを抑制できる。これにより、導線の隙間に炭化生成物（スラッジ）が残留することを抑制できるので、導線間の熱伝導性の低下を防止できる。これらによって、導線を確実に接合することができる。また、各導線の抵抗のばらつきを抑制することができ、端子の導電性能を向上させることができる。そのうえ、リブの断面形状を収容部内で複数の導線の断面の隙間に配置された渦巻型にしたことで、簡単な構成でありながら、リブによって収容部内の複数の導線を効果的に振り分けることが可能となる。
【０００９】
また、本発明によれば、端子具を電極部材でかしめたときに、収容部の内壁と板状のリブとによって、導線束の各導線が収容部内で互いに接した状態で配列されるようになる。これにより、導線間に不均一な隙間ができることを抑制できる。したがって、端子具内の導線をより確実に接合させることが可能となる。
【００１０】
また、この場合、リブ（１５）は、電極部材（５，５）によって端子具（１０）がかしめられる方向に突出する突出部（１６，１６）を有するとよい。これによれば、端子具が電極部材でかしめられたとき、リブがかしめ方向に押されて移動（変形）し易くなるので、該リブによって収容部内の導線の動きを規制し易くなる。また、リブがかしめ方向に対する両側（横方向）に押し広げられ易くなるので、かしめ方向に対する両側の導線間に隙間が生じることを抑制できる。これらによって、収容部内の導線をより確実に接合させることが可能となる。また、各導線の抵抗のばらつきを抑制することができ、導電性能を向上させることができる。
【００１１】
また、上記課題を解決するための本発明は、絶縁被覆を有する導線（Ｌ）を複数本束ねてなる導線束（２）と、導線束（２）を収容するための中空の収容部（１２）を有する端子具（１０）と、を備え、収容部（１２）に導線束（２）を収容した端子具（１０）を電極部材（５，５）でかしめて通電することで、導線（Ｌ）の絶縁被覆を炭化させて除去すると共に導線（Ｌ）間を密着させるヒュージング処理によって形成される端子であって、端子具（１０）は、収容部（１２）を有する筒状の本体部（１１）と、収容部（１２）内で複数の導線（Ｌ）を仕切るようにそれらの隙間に設置される板状のリブ（１５）とを備え、当該リブ（１５）は、収容部（１２）の内壁（１２ａ）から導線束（２）の内部に差し込まれる複数の平板部（２１）を有しており、この複数の平板部（２１）は、収容部（１２）における端子具（１０）がかしめられる方向に対する両側の内壁（１２ａ）から導線束（２）の内部に向かって互い違いに突出していることを特徴とする。これによれば、端子具内での導線の移動を効果的に抑制できる。また、ヒュージング処理の際、導線束の内部を均等に加熱することができるので、導線のより確実な接合が可能となる。また、ヒュージング処理の際、導線束を外周からだけでなく内部からも加熱できるので、絶縁被覆が炭化されて生成する炭化生成物を導線の間から効果的に排出できる。
【００１２】
また、上記の端子では、リブ（１５）における収容部（１２）に挿入される導線束（２）の先端（２ａ）に対向する端部（１７）は、該収容部（１２）内の奥側に窪んで配置されているとよい。これによれば、導線束の端部を収容部に収容する作業が行い易くなる。したがって、導線束に端子具を装着する作業を簡単かつ迅速に行えるようになる。
【００１３】
また、上記の端子では、リブ（１５）は、収容部（１２）に挿入される導線束（２）に対向する端部（１７）が面取りされた面取部（１９）になっているとよい。これによれば、収容部に導線束を挿入する際、複数の導線の隙間にリブが容易に差し込まれるようになる。したがって、導線束に端子具を装着する作業を簡単かつ迅速に行えるようになる。また、導線束に端子具を装着する際に導線束の先端が損傷することを防止できる。
【００１４】
また、上記の端子では、リブ（１５−３）は、端子具（１０−３）の本体部（１５）とは別の部材として設けてもよい。また、本発明にかかる端子の製造方法は、このようなリブ（１５−３）が端子具（１０−３）の本体部（１１）とは別の部材として設けられている端子の製造方法であって、導線束（２）にリブ（１５−３）を装着する第１工程（ＳＴ１）と、導線束（２）のリブ（１５−３）を装着した部分を端子具（１０−３）の収容部（１２）に収容する第２工程（ＳＴ２）と、導線束（２）を収容した端子具（１０−３）を電極部材（５，５）でかしめて通電することで、導線（Ｌ）の絶縁被覆を炭化させて除去すると共に導線（Ｌ）間を密着させるヒュージング処理を行う第３工程（ＳＴ３）と、をこの順番で行うことを特徴とする。
【００１５】
このように、リブを端子具の本体部とは別の部材として設ければ、端子を製造する際、先に導線束にリブを装着しておき、このリブを装着した部分の導線束を後から端子具に収容することが可能となる。これによれば、リブが端子具の本体部に一体形成されている場合と比べて、リブを導線の隙間に装着する作業が簡単に行えるようになるので、端子の製造が容易に行えるようになる。また、複数の導線をリブによって所望の状態で振り分ける（仕切る）ことができるようになる。したがって、上記の端子の製造方法によれば、導線束を収容する作業が行い易くなるので、端子の組み立てが短時間で効率良く行えるようになる。
【００１６】
また、本発明は、絶縁被覆を有する複数の導線（Ｌ）を束ねてなるコイル（５２，５３）に装着した端子具（１０）をヒュージング処理により電気的導通を確保した状態で接続してなる端子（５１，５５）を備える電動機（５０）であって、当該端子（５１，５５）は、請求項１乃至７のいずれかに記載の端子（１）であることを特徴とする。本発明の電動機によれば、端子の導電性能や耐久性を向上させることができるので、信頼性の高い電動機となる。
なお、上記の括弧内の符号は、後述する実施形態の対応する構成要素の符号を本発明の一例として示したものである。
【発明の効果】
【００１７】
本発明にかかる端子及びその製造方法によれば、ヒュージング処理によって接合される導線の十分な接合強度を確保できると共に、各導線の抵抗のばらつきを抑制して端子の導電性能を向上させることができる。また、本発明にかかる端子を用いることで、信頼性の高い電動機を提供できる。
【図面の簡単な説明】
【００１８】
【図１】本発明の第１実施形態にかかる端子を構成する端子具を示す図で、（ａ）は、側面図、（ｂ）は、斜視図である。
【図２】端子具を示す図で、（ａ）は、図１のＡ−Ａ矢視断面図、（ｂ）は、図１のＢ−Ｂ矢視断面図である。
【図３】端子具に導線束を収容する手順を説明するための図で、導線束と端子具の側面図（一部断面図）である。
【図４】ヒュージング処理について説明するための図で、（ａ）は、電極部材で端子具をかしめる前の状態、（ｂ）は、電極部材で端子具をかしめた後の状態を示す図である。
【図５】本発明の第２実施形態にかかる端子を構成する端子具を示す図で、（ａ）、（ｂ）、はそれぞれ、リブが二枚、三枚の平板部からなる場合を示す。
【図６】ヒュージング処理について説明するための図で、（ａ）は、電極部材で端子具をかしめる前の状態、（ｂ）は、電極部材で端子具をかしめた後の状態を示す図である。
【図７】本発明の第３実施形態にかかる端子を構成する端子具を示す図である。
【図８】第３実施形態にかかる端子の製造方法を説明するためのフローチャートである。
【図９】本発明の第４実施形態にかかる端子を備えた電動機（モータ）の構成例を示す図で、（ａ）は、概略平面図、（ｂ）は、後述する固定子の斜視図である。
【発明を実施するための形態】
【００１９】
以下、添付図面を参照して本発明の実施形態を詳細に説明する。
〔第１実施形態〕
図１及び図２は、本発明の第１実施形態にかかる端子１を構成する端子具１０を示す図で、図１（ａ）は、側面図、図１（ｂ）は、斜視図、図２（ａ）は、図１のＡ−Ａ矢視断面図、図２（ｂ）は、図１のＢ−Ｂ矢視断面図である。また、図３は、導線束２を端子具１０に収容する手順を説明するための図で、導線束２と端子具１０の側面図（一部断面図）である。また、図４は、ヒュージング処理について説明するための図で、（ａ）は、電極部材５，５で端子具１０をかしめる前の状態、（ｂ）は、電極部材５，５で端子具１０をかしめた後の状態を示す図である。
【００２０】
本実施形態の端子１は、図３に示す絶縁被覆を有する導線Ｌを複数本束ねてなる導線束２と、導線束２を収容する中空の収容部１２を有する筒状の端子具１０とを備えており、導線束２に装着した端子具１０を電極部材５，５（図４参照）でかしめて通電することで、導線Ｌの絶縁被覆を炭化させて除去すると共に導線Ｌ間を密着させるヒュージング処理によって形成される。
【００２１】
導線束２は、表面に絶縁被覆を有する導線Ｌを多数本（数十本程）束ねて構成されている。絶縁被覆を有する導線Ｌとして、エナメル銅線（ＥＷ）、ホルマール銅線（ＰＶＦ）、ポリエステル銅線（ＰＥＷ）、及びアミドイミド銅線（ＡＩＷ）など各種材料で被覆された銅線を用いることができる。一方、導線束２に装着する端子具１０は、図１及び図２に示すように、金属製の円筒状部材である。この端子具１０は、後述するヒュージング処理において、図４（ａ）に示すように、一対の電極部材５，５で両側面が挟み込まれてかしめられることで、幅方向に潰されるようになっている。この端子具１０は、収容部１２を有する略円筒状の本体部１１と、収容部１２内に設置された薄板状のリブ１５とを一体に備えた形状になっている。
【００２２】
リブ１５は、収容部１２内で導線束２を構成する複数本の導線Ｌの断面の隙間に配置される渦巻型の断面形状を有している。すなわち、収容部１２の内壁１２ａから突出して該内壁１２ａに沿って延伸する湾曲板状の第１外周片１５ａと、該第１外周片１５ａの先端から折り返されて収容部１２の内壁１２ａに沿って第１外周片１５ａと対称に延伸する第２外周片１５ｂと、第２外周片１５ｂの先端から折り返されて第１外周片１５ａと第２外周片１５ｂの間で収容部１２の中心を通って延伸する平板状の中央片１５ｃとを有している。これらによって、リブ１５の断面は、収容部１２の内壁１２ａから中心側に向かって巻回されている。
【００２３】
また、このリブ１５は、図４に示すように、電極部材５，５によって端子具１０がかしめられるかしめ方向（押圧方向）に突出する突出部１６，１６を有している。すなわち、第１外周片１５ａの中間位置に設けた一方の突出部１６と、第２外周片１５ｂの中間位置に設けた他方の突出部１６とがそれぞれかしめ方向の両側に湾曲して突出している。
【００２４】
また、図２に示すように、リブ１５における収容部１２に挿入される導線束２の先端２ａに対向する端部１７は、収容部１２内の奥側に窪んだ位置、すなわち、本体部１１の端部１８よりも奥側の位置に配置されている。また、リブ１５の端部１７は、面取りされた面取部１９になっている。ここでの面取りは、収容部１２に収容される導線束２の先端２ａ（図３参照）がリブ１５の端部１７に引っ掛からずにスムーズに挿入される形状に加工されていればよく、一例として、端部１７の断面が丸みを帯びた形状となるように加工したものや、端部１７の断面の角部を斜めに削ったものが挙げられる。また、図２（ｂ）に示すように、リブ１５における中央片１５ｃの端部１７は、その長手方向の中間が両側よりも収容部１２内の奥側に配置されるように略Ｖ字型に屈曲している。
【００２５】
次に、端子１の製造方法について説明する。ヒュージング処理によって端子１を製造するには、まず、端子具１０の収容部１２に導線束２を収容する。これには、図３（ａ）に示すように、端子具１０の一端の開口部１３から収容部１２に導線束２の先端２ａを差し込んで挿入する。この際、導線Ｌの隙間に渦巻状のリブ１５が差し込まれる。こうして、図４（ａ）に示すように、リブ１５によって収容部１２内の複数の導線Ｌが振り分けられた（仕切られた）状態となる。
【００２６】
ここで、上記のように、リブ１５の端部１７が収容部１２の奥側に窪んで配置されていることで、導線束２の先端２ａを収容部１２に挿入する作業が行い易くなる。したがって、導線束２に端子具１０を装着する作業を簡単かつ迅速に行えるようになる。
【００２７】
また、リブ１５の端部１７に面取部１９を設けていることで、導線束２に端子具１０を装着する際、複数の導線Ｌの隙間にリブ１５が容易に差し込まれるようになる。これによっても、導線束２に端子具１０を装着する作業を簡単かつ迅速に行えるようになる。また、導線束２に端子具１０を装着する際に導線束２の先端２ａが損傷することを防止できる。また、リブ１５における中央片１５ｃの端部１７は、その長手方向の中間が両側よりも収容部１２内に窪んだ略Ｖ字型に形成されていることで、中央片１５ｃの両側に複数の導線Ｌを均等に振り分けて挿入できるようになる。
【００２８】
このようにして、端子具１０に導線束２を収容したら、図４（ａ）に示すように、端子具１０の両側面を電極部材５，５で押圧する。これにより、端子具１０の本体部１１がかしめ方向に潰される。また、収容部１２内のリブ１５及び導線束２がかしめ方向に加圧される。こうして、図４（ｂ）に示すように、端子具１０の本体部１１の断面が略楕円型になり、リブ１５がかしめ方向に対する両側に広がるように変形する。これにより、リブ１５と収容部１２の内壁１２ａとの隙間に導線Ｌが配列される。この状態で、電極部材５，５に通電することで、端子具１０内の導線Ｌの絶縁被覆を炭化（溶融）させて排除し、端子具１０と導線Ｌとを導電接合する。こうして、端子１が製造される。
【００２９】
以上説明したように、本実施形態の端子具１０によれば、収容部１２内で複数の導線Ｌを仕切るようにそれらの隙間に設置される板状のリブ１５を備えたことで、ヒュージング処理の際、収容部１２の内壁１２ａを介して導線束２の外周側面に熱が与えられるだけでなく、リブ１５を介して導線束２の内部にも熱が与えられるようになるので、端子具１０に収容された導線束２の全体に均等に熱を与えることができる。したがって、収容部１２内の導線Ｌの絶縁被覆をより効果的に炭化できるようになる。また、導線束２の外周と内部に同時に熱を与えることができるので、導線束２の各部の加熱に時間差が生じることを抑制できる。これにより、導線Ｌの隙間に炭化生成物（スラッジ）が残留することを抑制できるので、導線Ｌ間の熱伝導性の低下を防止することができる。これらによって、導線Ｌを確実に接合することができる。また、各導線Ｌの抵抗のばらつきを抑制することができ、端子１の導電性能を向上させることができる。
【００３０】
また、本実施形態の端子１では、端子具１０を電極部材５，５でかしめたときに、収容部１２の内壁１２ａと板状のリブ１５とによって導線束２の各導線Ｌが押し分けられることで、各導線Ｌが収容部１２内で互いに密接状態で配列されるようになる。これにより、導線Ｌ間に不均一な隙間ができることを抑制できる。したがって、端子具１０内の導線Ｌをより確実に接合させることが可能となる。
【００３１】
また、本実施形態にかかる端子１では、リブ１５は、収容部１２内で複数の導線Ｌの隙間に配置された渦巻型の断面形状を有している。これにより、簡単な構成でありながら、リブ１５によって収容部１２内の複数の導線Ｌを略均等に振り分けることが可能となる。したがって、導線Ｌ間に不均一な隙間ができることを抑制できるので、導線Ｌ同士をより均一に密着させることが可能となる。
【００３２】
また、リブ１５は、電極部材５，５によって端子具１０がかしめられる方向に突出する突出部１６，１６を有している。これにより、端子具１０が電極部材５，５で押圧されたときに、リブ１５がかしめ方向に押されて変形し易くなるので、リブ１５によって収容部１２内の導線Ｌの動きを規制し易くなる。また、リブ１５がかしめ方向に対する両側に押し広げられ易くなるので、かしめ方向に対する両側の導線Ｌ間に隙間が生じることを抑制できる。これらによって、収容部１２内の導線Ｌをより確実に接合させることが可能となる。また、各導線Ｌの抵抗のばらつきを抑制することができ、導電性能を向上させることができる。
【００３３】
〔第２実施形態〕
次に、本発明の第２実施形態について説明する。なお、第２実施形態の説明及び対応する図面においては、第１実施形態と同一又は相当する構成部分には同一の符号を付し、以下ではその部分の詳細な説明は省略する。また、以下で説明する事項以外の事項については、第１実施形態と同じである。これらの点は、他の実施形態についても同様である。
【００３４】
図５は、本発明の第２実施形態にかかる端子１−２（図６参照）が備える端子具１０−２を示す図である。本実施形態の端子具１０−２は、第１実施形態の端子具１０が備える渦巻型の断面形状を有するリブ１５に代えて、収容部１２の内壁１２ａから導線束２の内部に差し込まれて延伸する複数の平板部２１（２１ａ〜２１ｅ）を有する他のリブ１５−２を備えて構成されている。
【００３５】
図５（ａ）に示す端子具１０−２は、二枚の平板部２１ａ，２１ｂからなるリブ１５−２を備えている。この場合、一方の平板部２１ａは、内壁１２ａの一端から収容部１２の断面の中心を通って他端の近傍まで延伸して設けられている。また、他方の平板部２１ｂは、平板部２１ａの先端に対向する内壁１２ａから突出して、平板部２１ａに対して所定間隔で平行に配置されて、内壁１２ａの他端近傍まで延伸している。また、図５（ｂ）に示す端子具１０−２は、三枚の平板部２１ｃ，２１ｄ，２１ｅからなるリブ１５−２を備えている。この場合、各平板部２１ｃ，２１ｄ，２１ｅは、収容部１２の内壁１２ａにおける互いに対向する両側から交互に（互い違いに）突出している、そして、中央の平板部２１ｃに対して両側の平板部材２１ｄ，２１ｅが対称に配置されており、これらが所定間隔で平行に配置されている。中央の平板部２１ｄは、内壁１２ａの一端から収容部１２の断面の中心を通って他端の近傍まで延伸して設けられている。
【００３６】
図６は、本実施形態の端子１−２を製造する際のヒュージング処理について説明するための図で、（ａ）は、電極部材５，５で端子具１０−２をかしめる前の状態、（ｂ）は、電極部材５，５で端子具１０−２をかしめた後の状態を示す図である。なお、図６では、図５（ｂ）に示す３枚の三枚の平板部２１ｄ，２１ｅ，２１ｆからなるリブ１５−２を備えた端子具１０−２を例に示している。本実施形態においても、図６（ａ）に示すように、端子具１０−２の両側面を電極部材５，５で挟んでかしめる。これにより、端子具１０−２の本体部１１がかしめ方向に潰される。また、収容部１２内のリブ１５−２及び導線束２がかしめ方向に加圧される。こうして、図６（ｂ）に示すように、端子具１０−２の本体部１１の断面が略楕円型になり、リブ１５−２と内壁１２ａとの隙間に導線Ｌが配列される。
【００３７】
また、平板状のリブ１５の面に対して直交する方向に端子具１０−２がかしめられることで、本体部１１の変形に伴って３枚の平板部２１ｃ，２１ｄ，２１ｅがその面に沿って互いの根元側に引っ張られるように移動する。これにより、平板部２１ｃ，２１ｄ，２１ｅの先端が対向する収容部１２の内壁１２ａから離間して、それらの隙間が大きくなる。しかしながら、ここでは、３枚の平板部２１ｃ，２１ｄ，２１ｅを互い違いに配列していることで、平板部２１ｃ，２１ｄ，２１ｅの先端と収容部１２の内壁１２ａとの隙間が大きくなっても、当該隙間を通って移動しようとする導線Ｌの動きが隣接する他の平板部２１ｃ，２１ｄ，２１ｅによって抑制される。したがって、収容部１２内の導線Ｌの移動を抑制でき、導線Ｌを均等に配列することが可能となる。
【００３８】
そして、図６（ｂ）に示すように、端子具１０−２をかしめて潰した状態で、電極部材５，５に通電することで、端子具１０内の導線Ｌの絶縁被覆を炭化（溶融）させて排除し、端子具１０と導線Ｌとを導電接合する。
【００３９】
本実施形態の端子具１０−２では、導線束２を構成する導線Ｌの本数に応じて、リブ１５−２を構成する平板部２１の枚数を変更するとよい。また、平板部２１を導線束２の断面に対して対称となるように配置すれば、収容部１２内の導線Ｌを均等に振り分けること可能となる。したがって、導線束２の内部を均等に加熱することが可能となる。
【００４０】
以上説明したように、本実施形態の端子具１０−２では、リブ１５−２は、収容部１２の内壁１２ａから導線束２の内部に差し込まれる複数の平板部２１（２１ａ〜２１ｅ）を備えており、この複数の平板部２１は、収容部１２における端子具１０がかしめられる方向に対する両側の内壁１２ａから導線束２の内部に向かって互い違いに突出している。これにより、端子具１０内での導線Ｌの移動を抑制して、導線Ｌを均等に振り分けることが可能となる。また、ヒュージング処理の際、導線束２を外周からだけでなく内部からも加熱できるので、絶縁被覆が炭化されて生成する炭化生成物（スラッジ）を導線Ｌの間から効果的に排出できる。したがって、導線Ｌの確実な接合が可能となる。なお、図５に示す平板部２１は、端子具１０がかしめられる方向（上下方向）に対する両側（左右両側）の内壁１２ａから当該上下方向に対して直交する横方向（水平方向）に延びているが、平板部２１は、端子具１０がかしめられる方向に対する両側の内壁１２ａから導線束２の内部に向かって突出しているものであれば、かしめられる方向に対して必ずしも直交する方向に延びている必要はなく、ある程度傾斜した方向に延びているものなどであってもよい。
【００４１】
〔第３実施形態〕
図７は、本発明の第３実施形態にかかる端子１−３を示す図で、（ａ）は、端子１−３が備える端子具１０−３の側面図、（ｂ）は、端子１−３の分解斜視図である。本実施形態では、端子具１０−３の本体部１１とリブ１５−３とが互いに別の部材として設けられている。すなわち、本実施形態の端子具１０−３が備えるリブ１５−３は、第１実施形態の端子具１０が備えるリブ１５と同じ形状であるが、収容部１２の内壁１２ａから分離しており、本体部１１とは別の部材として設けられている。
【００４２】
図８は、本実施形態の端子の製造方法を説明するためのフローチャートである。本実施形態の端子の製造方法は、導線束２に対して図７に示すリブ１５−３を装着する第１工程（ステップＳＴ１）と、導線束２のリブ１５−３を装着した部分を端子具１０−３の収容部１２に収容する第２工程（ステップＳＴ２）と、導線束２を収容した端子具１０−３を電極部材５，５でかしめて通電することで、導線Ｌの絶縁被覆を炭化させて除去すると共に導線Ｌ間を密着させるヒュージング処理を行う第３工程（ステップＳＴ３）とをこの順番で行うようになっている。なお、ステップＳＴ１で導線束２にリブ１５−３を装着する際、リブ１５−３は、導線束２を構成する導線Ｌの隙間に導線束２の外周側面から横向きに差し込んで装着してもよいし、導線束２の先端２ａから導線Ｌの延伸方向に差し込んで装着してもよい。
【００４３】
本実施形態では、端子具１０−３のリブ１５−３が本体部１１とは別の部材として設けられていることで、上記のように、端子１−３を製造する際、先に導線束２にリブ１５−３を装着しておき、このリブ１５−３を装着した導線束２を後から端子具１０−３に収容することが可能となる。これにより、導線束２を端子具１０−３に収容する作業が行い易くなるので、端子の製造が短時間で効率良く行えるようになる。また、あらかじめ導線束２にリブ１５−３を装着しておくことで、端子具１０−３内での導線Ｌの配置や振り分け状態を調整し易くなる。したがって、複数の導線Ｌ間に不均一な隙間ができることを抑制できるので、端子の熱伝導性の低下を防止することができる。
【００４４】
〔第４実施形態〕
図９は、本発明の第４実施形態にかかる電動機（モータ）５０の構成例を示す図で、（ａ）は、電動機５０の全体構成を示す概略平面図であり、（ｂ）は、後述する固定子６１の斜視図である。同図に示す電動機５０は、３相（Ｕ相、Ｖ相、Ｗ相）のコイル５３（５３ｕ，５３ｖ，５３ｗ）を巻回してなる円筒状の固定子６１と、該固定子６１の中心側で回転する回転子６５とを備えたいわゆる分布巻き型の電動機である。固定子６１には、複数本のティース６３を有する固定子鉄心６２が設けられており、スロットを絶縁するための絶縁フィルム６４を介してティース６３に３相の巻線（コイル）５３が巻回されている。なお、コイル５３の端部は、引出線５２（５２ｕ，５２ｖ，５２ｗ）になっている。一方、回転子６５は、４極の永久磁石型であり、回転子鉄心６６に複数の永久磁石６７を埋設してなり、各永久磁石６７は、Ｎ極とＳ極が交互に並ぶように着磁されている。回転子６５は、中心に設けた軸孔６８にシャフト（図示せず）が貫通しており、当該シャフトが回転自在に支持されている。これにより、固定子６１に発生する回転磁界によって回転子６５が回転するようになっている。なお、図９（ａ）に示す回転子６５は、一部の構成部品を省略して簡略的に示している。
【００４５】
そして、この電動機５０は、本発明の実施形態にかかる端子１を備えている。すなわち、電動機５０のコイル５３（５３ｕ，５３ｖ，５３ｗ）は、図３に示す絶縁被覆を有する導線Ｌを複数本束ねてなる導線束２からなる。そして、３相の各コイル５３ｕ，５３ｖ，５３ｗの一端に設けた中性点端子５５は、図１などに示す筒状の端子具１０を備えた端子１である。すなわち、本実施形態の電動機５０では、収容部１２を有する筒状の本体部１１と、収容部１２内に設置された板状のリブ１５とを備えた端子具１０によって、コイル５２の一端に設けた各相の中性点端子５５が連結されている。また、各相のコイル５２の他端（入力側）に設けた引出線５１は、図３に示す絶縁被覆を有する導線Ｌを複数本束ねてなる導線束２からなり、当該引出線５２の先端に設けた端子５１が、図１などに示す端子具１０（１０−２，１０−３）によってかしめられた端子１になっている。当該端子５１は、電動機５０に電源を供給するための図示しない電源供給部などに接続されるようになっている。
【００４６】
以上説明したように、本実施形態の電動機５０によれば、コイル５３の端部に設けた端子５５及び引出線５２の端部に設けた端子５１として、本発明にかかる端子１を採用している。これにより、端子５１，５５の導電性能や耐久性を向上させることができる。したがって、信頼性の高い電動機５０となる。
【００４７】
以上本発明の実施形態を説明したが、本発明は上記実施形態に限定されるものではなく、特許請求の範囲、及び明細書と図面に記載された技術的思想の範囲内において種々の変形が可能である。なお、直接明細書及び図面に記載のない何れの形状・構造・材質であっても、本願発明の作用・効果を奏する以上、本願発明の技術的思想の範囲内である。
【００４８】
例えば、本発明にかかる端子が備える導線束は、第４実施形態に示すように、ハイブリッド車両などに搭載する比較的大型のモータのコイルとして用いる導線束など、数十本程度の導線を束ねた導線束が好適であるが、本発明にかかる端子が備える導線束は、絶縁被覆を有する導線を複数本束ねたものであれば、具体的な導線の本数や太さは、特に限定されない。
【００４９】
また、上記の各実施形態に示す端子具１０（１０−２，１０−３）の具体的な形状は一例であり、端子具１０は、上記の円筒状以外の形状とすることも可能である。また、リブ１５（１５−２，１５−３）の具体的な形状も上記実施形態に示すものには限定されず、渦巻状や平板状以外の形状とすることも可能である。
【００５０】
また、第３実施形態では、端子具の本体部と別部材のリブとして、第１実施形態と同じ渦巻型のリブ１５−３を備えた場合を示したが、これ以外にも、図示は省略するが、端子具の本体部と別部材のリブとして、第２実施形態と同じ平板状のリブあるいは他の形状のリブを備えてもよい。
【符号の説明】
【００５１】
Ｌ  導線
１，１−２，１−３  端子
２  導線束
２ａ  先端
５，５  電極部材
１０，１０−２，１０−３  端子具
１１  本体部
１２ａ  内壁
１２  収容部
１３  開口部
１５，１５−２，１５−３  リブ
１５ａ  第１外周片
１５ｂ  第２外周片
１５ｃ  中央片
１６，１６  突出部
１７  （リブの）端部
１８  （本体部の）端部
１９  面取部
２１（２１ａ〜２１ｅ）  平板部
５０  電動機
【図１】
2011060523.tif 000003
【図２】
2011060523.tif 000004
【図３】
2011060523.tif 000005
【図４】
2011060523.tif 000006
【図５】
2011060523.tif 000007
【図６】
2011060523.tif 000008
【図７】
2011060523.tif 000009
【図８】
2011060523.tif 000010
【図９】
2011060523.tif 000011